(57)【要約】      （修正有）【課題】熱膨張係数が高い材料を筐体に用いた場合であっても、筐体の熱膨張に起因する色ずれ量を低減する光走査装置を提供する。【解決手段】筐体４１と、複数の光源と、前記複数の光源からの光ビームを複数の被走査体に偏向走査する偏向走査部と、前記偏向走査部と前記被走査体との間に配設された複数の光学部６３ｂ１，６３ｂ２，６３ｂ３，６３ｂ４とを備えた光走査装置１１において、前記光学部支持部材７１および７２は、予め定められた間隔で配設された前記複数の光学部を支持し、その熱膨張係数は、前記筐体４１の熱膨張係数よりも小さいことを特徴とする光走査装置１１。【選択図】図１（Ｂ）
2017203976.tif 000002
【特許請求の範囲】
【請求項１】
筐体と、複数の光源と、前記複数の光源からの光ビームを複数の被走査体に偏向走査する偏向走査部と、前記偏向走査部と前記被走査体との間に配設された複数の光学部とを備えた光走査装置において、
前記光学部支持部材は、予め定められた間隔で配設された前記複数の光学部を支持し、その熱膨張係数は、前記筐体の熱膨張係数よりも小さいことを特徴とする光走査装置。
【請求項２】
前記光学部支持部材は、前記被走査体を前記光ビームが走査する第１方向における前記複数の光学部の両端部を支持する請求項１に記載の光走査装置。
【請求項３】
前記筐体は、前記光学部支持部材に対して相対的に変位する請求項１または２に記載の光走査装置。
【請求項４】
前記光学部支持部材の予め定められた第１部分を前記筐体に固定する固定部と、前記光学部支持部材の予め定められた第２部分を前記筐体に対し、複数の前記光学部が配設された第２方向に相対的に変位可能に係合する係合部とをさらに備えた請求項１〜３のいずれか１つに記載の光走査装置。
【請求項５】
前記係合部よりも前記複数の光源側に前記固定部を備えた請求項４に記載の光走査装置。
【請求項６】
前記固定部は、前記光学部支持部材の前記第１部分に設けられた第１挿通部を介して、前記筐体に設けられた第１ビス孔に第１ビスを挿入することによって構成された請求項４または５に記載の光走査装置。
【請求項７】
前記係合部は、前記光学部支持部材の前記第２部分に設けられた第２挿通部を介して、前記筐体に設けられた第２ビス孔に第２ビスを挿入することによって構成され、
前記第２ビスは、前記第２挿通部を介して前記第２ビス孔に挿入されたとき、前記光学部支持部材の前記第２部分を押圧するバネを有する請求項４〜６のいずれか１つに記載の光走査装置。
【請求項８】
前記係合部は、前記光学部支持部材の前記第２部分に設けられた第２挿通部を介して、前記筐体に係合するフックを有する請求項４〜６のいずれか１つに記載の光走査装置。
【請求項９】
前記第２挿通部は、前記第２方向に伸びる長孔または切欠を有する請求項７または８に記載の光走査装置。
【請求項１０】
前記光学部は、レンズおよび前記レンズを保持するレンズ保持部材からなり、
前記光学部支持部材は、前記筐体に設けられた突起を挿通する挿通孔を有し、
前記光学部は、前記被走査体を前記光ビームが走査する第１方向の一端が前記光学部支持部材に設けられたとき、前記レンズ保持部材の下面が、前記挿通孔を挿通した前記突起の先端と接している請求項１〜９のいずれか１つに記載の光走査装置。
【請求項１１】
前記光学部の前記被走査体を前記光ビームが走査する第１方向の一端が前記光学部支持部材に設けられたとき、前記光学部の一端の、複数の前記光学部が配設された第２方向の位置を調整する調整部が前記光学部支持部材に取り付けられた請求項１〜１０のいずれか１つに記載の光走査装置。
【請求項１２】
前記調整部を駆動する駆動部が前記光学部支持部材に取り付けられた請求項１１に記載の光走査装置。
【請求項１３】
前記光学部支持部材は、前記複数の光学部のうち、ブラック、シアンおよびマゼンタ用の光学部またはブラック、シアン、マゼンタおよびイエロー用の光学部を支持する請求項１〜１２のいずれか１つに記載の光走査装置。
【請求項１４】
前記光学部支持部材は、金属材料からなり、前記筐体は、樹脂材料からなる請求項１〜１３のいずれか１つに記載の光走査装置。
【請求項１５】
請求項１〜１４のいずれか１つに記載の光走査装置を備えた画像形成装置。
【発明の詳細な説明】
【技術分野】
【０００１】
この発明は、プリンタ、複写機、ファクシミリ等の画像形成装置において、デジタル信号からなる画像情報に対応するレーザー光を帯電状態にある感光体ドラムの表面に照射して、静電潜像を形成する光走査装置およびこれを備えた画像形成装置に関する。
【背景技術】
【０００２】
従来、画像形成装置では、光走査装置（レーザー・スキャニング・ユニット：ＬＳＵ）で複数色の画像を重ね合わせて画像を形成することから、色ずれという問題が発生することがある。
例えば、次のような構成の画像形成装置が知られている。イエロー、マゼンタおよびシアンの各色に対応する複数の潜像担持体（例えばドラム状の感光体ユニット、感光体ドラムともいう）の表面にレーザー等の光ビームを走査することにより、各潜像担持体にそれぞれの潜像を書き込む。そして、それらの潜像を現像して各潜像担持体上に各色の画像を形成し、各潜像担持体から画像担持体（転写ベルト）へと各色の画像を転写して、画像担持体上に各色の画像を重ねて形成する。さらに、画像担持体から印刷シートへと各色の画像を転写して、印刷シート上に画像を形成する。このような構成の画像形成装置においては、各潜像担持体から画像担持体への転写の際に各色の画像がずれて、色ずれが発生することがあり、画像の品質が劣化する。
【０００３】
特に、画像形成装置の駆動時には、画像形成装置の筐体内の温度が上昇して、光走査装置の筐体が熱膨張することにより、Ｆθ第２レンズ等の光学部品の位置が変動し、色ずれが発生することがある。
【０００４】
このような熱膨張による色ずれを防止するため、従来、サーミスタ等の温度センサを光走査装置内に設け、光走査装置の内部および周辺の温度に応じて色ずれ補正を行う方法が知られている（例えば、特許文献１参照）。
【０００５】
この方法によれば、光走査装置の内部および周辺の温度の温度変化に対する画像担持体の各色の色ずれ量の特性を示したテーブルを参照して、潜像の書き込みタイミングを制御することにより、各色の画像の位置を補正する。
【先行技術文献】
【特許文献】
【０００６】
【特許文献１】特開２０１３−２０１４２号公報
【発明の概要】
【発明が解決しようとする課題】
【０００７】
しかしながら、光走査装置の筐体が大きくなるほど、熱膨張による色ずれ量も大きくなるため、色ずれ補正の精度が低くなるという問題がある。
一方、光走査装置の筐体の材料として、熱膨張係数の低い材料を用いることにより、筐体の熱膨張を低減する方法も知られているが、熱膨張係数の低い材料は通常の材料と比べて高価であるため、製造コストが高くなってしまうという問題がある。
【０００８】
この発明は、このような課題に鑑みなされたものであり、熱膨張係数が高い材料を筐体に用いた場合であっても、筐体の熱膨張に起因する色ずれ量を低減する光走査装置を提供することを目的とする。
【課題を解決するための手段】
【０００９】
この発明は、筐体と、複数の光源と、前記複数の光源からの光ビームを複数の被走査体に偏向走査する偏向走査部と、前記偏向走査部と前記被走査体との間に配設された複数の光学部とを備えた光走査装置において、前記光学部支持部材は、予め定められた間隔で配設された前記複数の光学部を支持し、その熱膨張係数は、前記筐体の熱膨張係数よりも小さいことを特徴とする光走査装置を提供するものである。
また、この発明は、前記光走査装置を備えた画像形成装置を提供するものである。
【発明の効果】
【００１０】
この発明によれば、熱膨張係数が高い材料を筐体に用いた場合であっても、筐体の熱膨張に起因する色ずれ量を低減する光走査装置を実現できる。
【図面の簡単な説明】
【００１１】
【図１（Ａ）】従来の光走査装置の筐体の熱膨張によるＦθ第２レンズの位置のずれを示す説明図である。
【図１（Ｂ）】この発明の光走査装置の筐体の熱膨張によるＦθ第２レンズの位置のずれを抑制する機構を示す説明図である。
【図２】この発明の実施形態１に係る光走査装置を備えた画像形成装置の概略構成を示す断面図である。
【図３】図２に示す画像形成装置の制御系の概略構成を示すブロック図である。
【図４】この発明に係る光走査装置の上蓋を外した筐体内部の斜視図である。
【図５】図４に示す光走査装置の平面図である。
【図６（Ａ）】図５に示す光走査装置のＡ−Ａ矢視断面図である。
【図６（Ｂ）】図５に示す光走査装置のＢ−Ｂ矢視断面図である。
【図７（Ａ）】図４に示すＦθ第２レンズ支持部の斜視図である。
【図７（Ｂ）】図４に示すＦθ第２レンズ支持部の平面図である。
【図７（Ｃ）】図４に示すＦθ第２レンズ支持部の側面図である。
【図８（Ａ）】図４に示すＦθ第２レンズ支持部の斜視図である。
【図８（Ｂ）】図４に示すＦθ第２レンズ支持部の平面図である。
【図８（Ｃ）】図４に示すＦθ第２レンズ支持部の側面図である。
【図９】図４に示す光走査装置の一部拡大図である。
【図１０（Ａ）】図４に示す光走査装置の一部拡大図である。
【図１０（Ｂ）】Ｙ方向から見た図１０（Ａ）のスプリングビスの断面概略図である。
【図１１（Ａ）】図５に示す光走査装置のスプリングビスをフックに置き換えた一部拡大図である。
【図１１（Ｂ）】Ｙ方向から見た図１１（Ａ）のスプリングビスの概略図である。
【図１２】図５に示す光走査装置の熱膨張後の概略平面図である。
【図１３】図４に示す光走査装置からＦθ第２レンズ、Ｆθ第２レンズ保持部およびレンズ調整部材を取り除いた部分を中心に示す要部拡大斜視図である。
【図１４】図１３に示す部分において、Ｆθ第２レンズ保持部を調整するレンズ調整機構の一部の機構を設けたときの説明図である。
【図１５】図１３に示す部分において、レンズ調整部を設けたときの説明図である。
【図１６】図１３に示す部分において、Ｆθ第２レンズを有するＦθ第２レンズ保持部およびレンズ調整部を設けたときの説明図である。
【図１７（Ａ）】カバーの上側から見た斜視図である。
【図１７（Ｂ）】カバーの下側から見た斜視図である。
【図１８】図４に示す光走査装置からＦθ第２レンズ保持部を取り除いた部分を中心に示す要部拡大斜視図である。
【図１９】図１８に対応するＦθ第２レンズ保持部の部分を示す要部拡大斜視図である。
【図２０】図１８に示す部分において、図１９のＦθ第２レンズ保持部の部分を設けたときの説明図である。
【図２１（Ａ）】図４に示すＦθ第２レンズ保持部６５ｂ２を上側から見た要部拡大斜視図である。
【図２１（Ｂ）】図４に示すＦθ第２レンズ保持部６５ｂ２を下側から見た要部拡大斜視図である。
【図２２（Ａ）】従来技術の光走査装置の副走査方向のシアン、マゼンタおよびイエローの各色の色ずれ量を示す実験結果のグラフである。
【図２２（Ｂ）】この発明の実施形態１に係る光走査装置の副走査方向のシアン、マゼンタおよびイエローの各色の色ずれ量を示す実験結果のグラフである。
【図２３】この発明の実施形態２に係る光走査装置の熱膨張後の概略平面図である。
【図２４】この発明の実施形態３に係る光走査装置の熱膨張後の概略平面図である。
【図２５】この発明の実施形態５に係る光走査装置の熱膨張後の概略平面図である。
【図２６（Ａ）】この発明の実施形態１に係る光走査装置のＦθ第２レンズ支持部の摺動（変位）機構の一例を示す説明図である。
【図２６（Ｂ）】この発明の実施形態６に係る光走査装置のＦθ第２レンズ支持部の摺動（変位）機構の一例を示す説明図である。
【図２７】この発明の実施形態７に係る光走査装置の上蓋を外した筐体内部の斜視図である。
【図２８】図２７に示す光走査装置の平面図である。
【図２９】図２７に示すＦθ第２レンズ支持部の斜視図である。
【図３０】図２７に示すＦθ第２レンズ支持部の斜視図である。
【図３１（Ａ）】図２７に示すレンズ調整部材の一部拡大図である。
【図３１（Ｂ）】図２７に示すレンズ調整部材の一部拡大図である。
【図３２】この発明の実施形態８に係る光走査装置の上蓋を外した筐体内部の斜視図である。
【図３３】図３２に示す光走査装置の平面図である。
【図３４】図３３に示す光走査装置のＣ−Ｃ矢視断面図である。
【図３５】図３２に示す光走査装置を下側から見た斜視図である。
【図３６】図３２に示すＦθ第２レンズ支持部の斜視図である。
【図３７】図３２に示すＦθ第２レンズ支持部の斜視図である。
【図３８（Ａ）】図３３に示すレンズ調整部材の一部拡大図である。
【図３８（Ｂ）】図３６に示すレンズ調整部材の一部拡大図である。
【発明を実施するための形態】
【００１２】
（１）この発明の光走査装置は、筐体と、複数の光源と、前記複数の光源からの光ビームを複数の被走査体に偏向走査する偏向走査部と、前記偏向走査部と前記被走査体との間に配設された複数の光学部とを備えた光走査装置において、前記光学部支持部材は、予め定められた間隔で配設された前記複数の光学部を支持し、その熱膨張係数は、前記筐体の熱膨張係数よりも小さいことを特徴とする。
また、この発明の光走査装置は、前記光走査装置を備えた画像形成装置である。
【００１３】
この発明において、「光走査装置」は、複写機やファクシミリ等の画像形成装置において、デジタル信号からなる画像情報に対応するレーザー光を帯電状態にある感光体ドラムの表面に照射して、静電潜像を形成する装置である。
「熱膨張係数」は、温度上昇によって筐体やレンズ支持部の体積が熱膨張する割合である。また、熱膨張係数の代わりに、副走査方向の線膨張係数（長さが変化する割合）であってもよい。
【００１４】
この発明の「複数の光源」は、例えば、イエロー（Ｙ）、マゼンタ（Ｍ）、シアン（Ｃ）およびブラック（Ｋ）に対応する光源であり、第１半導体レーザー４４ａ、第２半導体レーザー４４ｂ、第３半導体レーザー４４ｃおよび第４半導体レーザー４４ｄによって実現される。
また、この発明の「被走査体」は、感光体ドラム１３Ｙ，１３Ｍ，１３Ｃおよび１３Ｋによって実現される。
また、この発明の「偏向走査部」は、ポリゴンミラー４２およびポリゴンモーター４３等によって実現される。
また、この発明の「光学部」は、Ｆθ第２レンズ６３ｂ１〜６３ｂ４およびＦθ第２レンズ保持部６５ｂ１〜６５ｂ４等によって実現される。
また、この発明の「光学部支持部材」は、Ｆθ第２レンズ支持部７１および７２によって実現される。
また、この発明の「画像形成装置」とは、プリンタなどの複写（コピー機能）機能を有する複写機または複写以外の機能をも含むＭＦＰ（Multifunction Peripheral：多機能周辺装置）など、画像を形成して出力する装置である。
【００１５】
また、この発明の光走査装置は、次のように構成されてもよく、それらが適宜組み合わされてもよい。
【００１６】
（２）前記光学部支持部材は、前記被走査体を前記光ビームが走査する第１方向における前記複数の光学部の両端部を支持するものであってもよい。
このようにすれば、低コストかつ簡単な構造により、光ビームの経路を妨げることなく筐体の熱膨張の伸びの影響を低減する光走査装置を実現できる。
【００１７】
「前記被走査体を前記光ビームが走査する第１方向」は、感光体ドラム上を光ビームが走査する方向であり、この発明の実施形態における主走査方向Ｘに相当する。
【００１８】
（３）前記筐体は、前記光学部支持部材に対して相対的に変位するものであってもよい。
このようにすれば、前記筐体が前記光学部支持部材に対して相対的に変位するように、光学部支持部材を筐体に設けることで、筐体の熱膨張に起因する色ずれ量を低減する光走査装置を実現できる。
【００１９】
（４）前記光学部支持部材の予め定められた第１部分を前記筐体に固定する固定部と、前記光学部支持部材の予め定められた第２部分を前記筐体に対し、複数の前記光学部が配設された第２方向に相対的に変位可能に係合する係合部とをさらに備えたものであってもよい。
このようにすれば、光学部支持部材を筐体に固定する固定部と、筐体に対し複数の光学部が配設された方向に相対的に変位可能に光学部支持部材を係合する係合部とを備えることで、筐体の熱膨張に起因する色ずれ量を低減する光走査装置を実現できる。
【００２０】
「複数の前記光学部が配設された第２方向」の一例は、感光体ドラム上を光ビームが走査する方向（第１方向）に直交する方向であり、この発明の実施形態における副走査方向Ｙに相当する。
【００２１】
（５）前記係合部よりも前記複数の光源側に前記固定部を備えたものであってもよい。
このようにすれば、前記係合部よりも前記複数の光源側に前記固定部を備えることで、筐体の熱膨張に起因する色ずれ量を低減する光走査装置を実現できる。
【００２２】
（６）前記固定部は、前記光学部支持部材の前記第１部分に設けられた第１挿通部を介して、前記筐体に設けられた第１ビス孔に第１ビスを挿入することによって構成されたものであってもよい。
このようにすれば、第１挿通部、第１ビス孔およびビスで固定部を構成することで、筐体の熱膨張に起因する色ずれ量を低減する光走査装置を実現できる。
【００２３】
「固定部」は、ビスに限られず、例えば、筐体から円柱のボスを設け、そのボスを板金の孔に入れ、Ｅリングで板金が浮かないようにしてもよい。
【００２４】
（７）前記係合部は、前記光学部支持部材の前記第２部分に設けられた第２挿通部を介して、前記筐体に設けられた第２ビス孔に第２ビスを挿入することによって構成され、前記第２ビスは、前記第２挿通部を介して前記第２ビス孔に挿入されたとき、前記光学部支持部材の前記第２部分を押圧するバネを有するものであってもよい。
このようにすれば、第２挿通部、第２ビス孔およびバネまたはフックを有するビスで係合部を構成することで、筐体の熱膨張に起因する色ずれ量を低減する光走査装置を実現できる。
【００２５】
（８）前記係合部は、前記光学部支持部材の前記第２部分に設けられた第２挿通部を介して、前記筐体に係合するフックを有するものであってもよい。
このようにすれば、簡単な構成で筐体の熱膨張に起因する色ずれ量を低減する光走査装置を実現できる。
【００２６】
（９）前記第２挿通部は、前記第２方向に伸びる長孔または切欠を有するものであってもよい。
このようにすれば、第２方向に伸びる長孔または切欠を有する第２挿通部とビスまたはフックとの係合によって、筐体の熱膨張に起因する色ずれ量を低減する光走査装置を実現できる。
【００２７】
（１０）前記光学部は、レンズおよび前記レンズを保持するレンズ保持部材からなり、前記光学部支持部材は、前記筐体に設けられた突起を挿通する挿通孔を有し、前記光学部は、前記被走査体を前記光ビームが走査する第１方向の一端が前記光学部支持部材に設けられたとき、前記レンズ保持部材の下面が、前記挿通孔を挿通した前記突起の先端と接しているものであってもよい。
このようにすれば、レンズ保持部材の下面が、前記挿通孔を挿通した前記突起の先端と接するため、突起の先端を調整することでレンズ保持部材を容易かつ精度よく取り付けることのできる光走査装置を実現できる。
【００２８】
（１１）前記光学部の前記被走査体を前記光ビームが走査する第１方向の一端が前記光学部支持部材に設けられたとき、前記光学部の一端の、複数の前記光学部が配設された第２方向の位置を調整する調整部が前記光学部支持部材に取り付けられたものであってもよい。
このようにすれば、筐体の熱膨張による影響を低減する調整部が光学部支持部材に取り付けられた光走査装置を実現できる。
【００２９】
（１２）前記調整部を駆動する駆動部が前記光学部支持部材に取り付けられたものであってもよい。
このようにすれば、筐体の熱膨張による影響を低減しつつ、前記調整部を駆動する駆動部が光学部支持部材に取り付けられた光走査装置を実現できる。
【００３０】
「前記調整部を駆動する駆動部」は、例えばモータである。また、手動によって駆動するものであってもよい。
【００３１】
（１３）前記光学部支持部材は、前記複数の光学部のうち、ブラック、シアンおよびマゼンタ用の光学部またはブラック、シアン、マゼンタおよびイエロー用の光学部を支持するものであってもよい。
このようにすれば、ブラック、シアンおよびマゼンタ用の光学部またはブラック、シアン、マゼンタおよびイエロー用の光学部を前記光学部支持部材で支持することにより、筐体の熱膨張に起因するブラック、シアンおよびマゼンタ、またはブラック、シアン、マゼンタおよびイエローの色ずれ量を低減する光走査装置を実現できる。
【００３２】
（１４）前記レンズ支持部は、金属材料からなり、前記筐体は、樹脂材料からなるものであってもよい。
このようにすれば、筐体の熱膨張に起因する色ずれの影響を低コストで低減する光走査装置を実現できる。
【００３３】
「金属材料」の一例は、ＳＥＣＣであり、「樹脂材料」の一例は、ＰＣ／ＡＢＳアロイである。
【００３４】
以下、図面を用いてこの発明をさらに詳述する。なお、以下の説明は、すべての点で例示であって、この発明を限定するものと解されるべきではない。
【００３５】
（従来技術との違い）
最初に、図１に基づき、従来の光走査装置１１ｃとこの発明の光走査装置１１の違いについて説明する。
【００３６】
図１（Ａ）は、従来の光走査装置１１ｃの筐体４１の熱膨張によるＦθ第２レンズ６３ｂ１，６３ｂ２，６３ｂ３，６３ｂ４の位置のずれを示す説明図である。また、図１（Ｂ）は、この発明の光走査装置１１の筐体４１の熱膨張によるＦθ第２レンズ６３ｂ１，６３ｂ２，６３ｂ３，６３ｂ４の位置のずれを抑制する機構を示す説明図である。
【００３７】
図１（Ａ）に示すように、従来の光走査装置１１ｃは、Ｆθ第２レンズ６３ｂ１，６３ｂ２，６３ｂ３，６３ｂ４を筐体４１内に直接固定している。
それゆえ、筐体４１の副走査方向Ｙと反対方向（以下、−Ｙ方向。Ｘ方向およびＺ方向についても同様）の端部（熱膨張の基準）を基準として、筐体４１が副走査方向Ｙに熱膨張した場合、各Ｆθ第２レンズ６３ｂ１，６３ｂ２，６３ｂ３，６３ｂ４もまた、副走査方向Ｙに位置ずれが生じ、その結果、色ずれが発生してしまう。
【００３８】
このような問題を解決すべく、この発明は、図１（Ｂ）に示すように、Ｆθ第２レンズ６３ｂ１，６３ｂ２，６３ｂ３，６３ｂ４を、直接筐体４１内に設けることはせず、筐体４１よりも熱（線）膨張係数が低い材料からなるＦθ第２レンズ支持部７１および７２を間にはさんで筐体４１内に設ける。
【００３９】
このとき、Ｆθ第２レンズ支持部７１および７２が筐体４１の膨張に引っ張られることがないよう、Ｆθ第２レンズ支持部７１および７２は、−Ｙ方向の端部７１ａおよび７２ａのみを筐体４１内に固定し、副走査方向Ｙ側の端部７１ｂおよび７２ｂは筐体４１内に固定しない。
【００４０】
このようにすることで、筐体４１は、Ｆθ第２レンズ支持部７１および７２とは独立に膨張するため、Ｆθ第２レンズ支持部７１および７２上に設けられたＦθ第２レンズ６３ｂ１，６３ｂ２，６３ｂ３，６３ｂ４は、筐体４１の熱膨張の影響を受けず、結果として、筐体４１の熱膨張による色ずれが抑制される。
【００４１】
（実施形態１）
＜画像形成装置１００の構成＞
次に、図２および図３に基づき、この発明の実施形態１に係る光走査装置１１を備えた画像形成装置１００の構成について説明する。
【００４２】
図２は、この発明の光走査装置１１を備えた画像形成装置１００の概略構成を示す断面図である。また、図３は、図２に示す画像形成装置１００の制御系の概略構成を示すブロック図である。
【００４３】
≪画像形成装置１００の構成≫
この画像形成装置１００においては、ブラック（Ｋ）、シアン（Ｃ）、マゼンタ（Ｍ）、イエロー（Ｙ）の各色を用いた画像を印刷シートに印刷する。あるいは、単色（例えばブラック）を用いたモノクロ画像を印刷シートに印刷する。このため、現像装置１２、感光体ドラム１３、ドラムクリーニング装置１４、および帯電器１５等は、それぞれ４個ずつ設けられる。各色に応じた４種類のトナー像を形成するために、それぞれがブラック、シアン、マゼンタ、およびイエローに対応付けられて、４つの画像形成ステーションＰａ、Ｐｂ、Ｐｃ、Ｐｄが構成されている。
【００４４】
各画像形成ステーションＰａ、Ｐｂ、Ｐｃ、Ｐｄのいずれにおいても、次のようにしてトナー像が形成される。ドラムクリーニング装置１４が、感光体ドラム１３Ｙ、１３Ｍ、１３Ｃおよび１３Ｋ表面の残留トナーを除去および回収する。その後、帯電器１５により感光体ドラム１３Ｙ、１３Ｍ、１３Ｃおよび１３Ｋの表面が所定の電位に均一に帯電される。そして、帯電した前記表面が光走査装置１１により露光されて前記表面に静電潜像が形成される。その後、現像装置１２により前記静電潜像が現像される。これにより、各感光体ドラム１３Ｙ、１３Ｍ、１３Ｃおよび１３Ｋ表面に各色のトナー像が形成される。
【００４５】
また、中間転写ベルト２１は、矢印Ｃの方向に周回移動する。ベルトクリーニング装置２２は、周回移動する中間転写ベルト２１の残留トナーを除去および回収する。そして、各感光体ドラム１３Ｙ、１３Ｍ、１３Ｃおよび１３Ｋ表面の各色のトナー像が中間転写ベルト２１に順次転写して重ね合わせられる。このようにして、中間転写ベルト２１上にカラーのトナー像が形成される。
【００４６】
中間転写ベルト２１と２次転写装置２３の転写ローラ２３ａとの間にはニップ域が形成されている。Ｓ字状のシート搬送経路Ｒ１を通じて搬送されてきた印刷シートは、そのニップ域に挟まれて搬送されつつ、中間転写ベルト２１表面のカラーのトナー像が転写される。ニップ域を通過した印刷シートは、定着装置１７の加熱ローラ２４と加圧ローラ２５との間に挟み込まれて加熱および加圧され、印刷シート上のカラーのトナー像が定着される。
【００４７】
前記印刷シートは、ピックアップローラ３３により給送トレイ１８から引出されて、シート搬送経路Ｒ１を通じて搬送される。そして、２次転写装置２３や定着装置１７を経由し、排出ローラ３６を介して排出トレイ３９へと搬出される。このシート搬送経路Ｒ１には、印刷シートを一旦停止させて印刷シートの先端を揃えるレジストローラ３４が配置されている。レジストローラ３４は、印刷シートを一旦停止させた後、中間転写ベルト２１と転写ローラ２３ａ間のニップ域でのトナー像の転写タイミングに合わせて搬送する。またシート搬送経路Ｒ１には、印刷シートの搬送を促す搬送ローラ３５等が配置されている。
【００４８】
≪制御系の構成≫
図３において、制御部１０１は、画像形成装置１００を統合的に制御するものであって、ＣＰＵ、ＲＡＭ、ＲＯＭ、各種のインターフェース等からなる。
【００４９】
印刷部１０２は、電子写真方式により印刷画像を印刷シートに印刷する。印刷部１０２は、図２における光走査装置１１、現像装置１２、感光体ドラム１３Ｙ、１３Ｍ、１３Ｃおよび１３Ｋ、ドラムクリーニング装置１４および帯電器１５を含んで構成される。さらに、中間転写ベルト２１、定着装置１７、シート搬送経路Ｒ１、給送トレイ１８、および排出トレイ３９等を含んで構成される。
【００５０】
また、入力操作部１０３は、例えば複数の入力キーや液晶表示装置からなる。
メモリ１０４は、例えばハードディスク装置（ＨＤＤ）やフラッシュメモリ等不揮発性の記憶手段であって、種々のデータやプログラムを格納する。
【００５１】
例えば、制御部１０１は、画像読取装置１１１および原稿搬送装置１１２を制御して、原稿搬送装置１１２により原稿を搬送する。そして、画像読取装置１１１により原稿の画像を読取らせ、原稿の画像を示す画像データをメモリ１０４に格納する。さらに、印刷部１０２を制御して、印刷部１０２でメモリ１０４内の画像データによって示される原稿の画像を印刷シートに印刷させる。
【００５２】
ところで、各画像形成ステーションＰａ、Ｐｂ、Ｐｃ、Ｐｄでは、各感光体ドラム１３Ｙ、１３Ｍ、１３Ｃおよび１３Ｋ上にそれぞれの色の画像を形成してから、各感光体ドラム１３Ｙ、１３Ｍ、１３Ｃおよび１３Ｋの画像を中間転写ベルト２１に順次重ねるように転写する。よって、中間転写ベルト２１上の各色の画像間で転写位置（画像位置）がずれて、色ずれが発生し、画像の品質が劣化することがある。
【００５３】
従来、この色ずれを、次のようにして低減するものが知られている。
具体的には、光走査装置１１の内部および／または周辺の温度をサーミスタで検出し、各温度における主走査方向Ｘ（以下、Ｘ方向）および副走査方向Ｙ（以下、Ｙ方向）のイエロー、マゼンタ、シアンおよびブラックの各色の色ずれ量を計測して得られた色ずれ量の温度特性テーブルのデータをメモリ１０４に格納しておく。
【００５４】
次に、制御部１０１は、光走査装置１１の内部および／または周辺の温度をサーミスタで検出させ、検出した温度に基づき、色ずれ量の温度特性テーブルを参照して、各感光体ドラム１３Ｙ、１３Ｍ、１３Ｃおよび１３Ｋ上に形成される各色の画像の位置を補正する。
【００５５】
このようにして、各感光体ドラム１３Ｙ、１３Ｍ、１３Ｃおよび１３Ｋの画像を中間転写ベルト２１に正確に重ねて転写形成するように制御し、色ずれを防止している。
【００５６】
感光体ドラム１３Ｙ、１３Ｍ、１３Ｃおよび１３Ｋ上の画像位置の補正は、通常、光走査装置１１の各レーザダイオードから出射される走査ビームによる各感光体ドラム１３Ｙ、１３Ｍ、１３Ｃおよび１３Ｋ上の静電潜像の書き込みタイミング等を制御することにより行われる。また、各感光体ドラム１３Ｙ、１３Ｍ、１３Ｃおよび１３Ｋ上の主走査ラインのＹ方向の位置を調節することによりＹ方向の画像位置を補正する。また、各感光体ドラム１３Ｙ、１３Ｍ、１３Ｃおよび１３Ｋ上の主走査ラインの長さおよびＸ方向の位置を調節することによりＸ方向の画像位置を補正する。
【００５７】
＜光走査装置１１および光学系の構成＞
次に、図４〜図６に基づき、この発明の第１実施形態に係る画像形成装置１００の光走査装置１１の詳細な構成について説明する。
図４は、この発明に係る光走査装置１１の上蓋を外した筐体４１内部の斜視図である。また、図５は、図４に示す光走査装置１１の平面図である。また、図６（Ａ）は、図５に示す光走査装置１１のＡ−Ａ矢視断面図である。また、図６（Ｂ）は、図５に示す光走査装置１１のＢ−Ｂ矢視断面図である。
【００５８】
なお、Ｘ方向と直交する方向をＹ方向とし、Ｘ方向およびＹ方向と直交する方向（ポリゴンモーター４３の回転軸の長手方向）を高さ方向Ｚとする。
【００５９】
筐体４１は、矩形状の底板４１ａおよび底板４１ａを囲む４つの側板４１ｂ、４１ｃを有している。
また、底板４１ａにポリゴンモーター４３（図示せず）が固定され、底板４１ａの中央から若干、−Ｙ方向に偏った位置に、ポリゴンモーター４３の回転軸に平面視多角形のポリゴンミラー４２の回転中心が接続固定され、ポリゴンモーター４３によってポリゴンミラー４２が回転する。
【００６０】
光走査装置１１は、第１〜第４半導体レーザー４４ａ〜４４ｄの各光束Ｌ１〜Ｌ４をポリゴンミラー４２へと導く第１〜第４入射光学系を設けている。
【００６１】
第１入射光学系は、コリメータレンズ５３ａ、アパーチャー５４ａ、第１半導体レーザー４４ａと同じ高さに配置されたミラー５５ａおよびシリンドリカルレンズ５６等からなる。
第２入射光学系は、コリメータレンズ５３ｂ、アパーチャー５４ｂ、第２半導体レーザー４４ｂと同じ高さに配置されたミラー５５ｂおよびシリンドリカルレンズ５６等からなる。
第３入射光学系は、コリメータレンズ５３ｃ、アパーチャー５４ｃ、第３半導体レーザー４４ｃと同じ高さに配置されたミラー５５ｃおよびシリンドリカルレンズ５６等からなる。
第４入射光学系は、コリメータレンズ５３ｄ、アパーチャー５４ｄ、第４半導体レーザー４４ｄと同じ高さに配置されたミラー５５ｄおよびシリンドリカルレンズ５６等からなる。
【００６２】
さらに、第１〜第４結像光学系を設けている。
第１結像光学系は、ポリゴンミラー４２で反射された第１半導体レーザー４４ａの光束Ｌ１をイエローに対応する感光体ドラム１３Ｙへと導く。
第２結像光学系は、ポリゴンミラー４２で反射された第２半導体レーザー４４ｂの光束Ｌ２をマゼンタに対応する感光体ドラム１３Ｍへと導く。
第３結像光学系は、ポリゴンミラー４２で反射された第３半導体レーザー４４ｃの光束Ｌ３をシアンに対応する感光体ドラム１３Ｃへと導く。
第４結像光学系は、ポリゴンミラー４２で反射された第４半導体レーザー４４ｄの光束Ｌ４をブラックに対応する感光体ドラム１３Ｋへと導く。
【００６３】
第１結像光学系は、Ｆθ第２レンズ６３ｂ１および２つの反射ミラー６４ａ１および６４ａ２等からなる。
第２結像光学系は、Ｆθ第２レンズ６３ｂ２および２つの反射ミラー６４ｂ１および６４ｂ２等からなる。
第３結像光学系は、Ｆθ第２レンズ６３ｂ３および２つの反射ミラー６４ｃ１および６４ｃ２等からなる。
第４結像光学系は、Ｆθ第２レンズ６３ｂ４および反射ミラー６４ｄ等からなる。
【００６４】
次に、各半導体レーザー４４ａ〜４４ｄの各光束Ｌ１〜Ｌ４がそれぞれの感光体ドラム１３Ｙ、１３Ｍ、１３Ｃおよび１３Ｋの走査面上に入射するまでの各光路について説明する。
【００６５】
まず、第１入射光学系において、第１半導体レーザー４４ａの光束Ｌ１は、コリメータレンズ５３ａを透過して平行光にされ、アパーチャー５４ａで光量を絞られて、ミラー５５ａに入射して反射され、シリンドリカルレンズ５６を透過してポリゴンミラー４２の反射面４２ａに入射する。
また、第２入射光学系において、第２半導体レーザー４４ｂの光束Ｌ２は、コリメータレンズ５３ｂを透過して平行光にされ、アパーチャー５４ｂで光量を絞られて、ミラー５５ｂに入射して反射され、シリンドリカルレンズ５６を透過してポリゴンミラー４２の反射面４２ａに入射する。
また、第３入射光学系において、第３半導体レーザー４４ｃの光束Ｌ３は、コリメータレンズ５３ｃを透過して平行光にされ、アパーチャー５４ｃで光量を絞られて、ミラー５５ｃに入射して反射され、シリンドリカルレンズ５６を透過してポリゴンミラー４２の反射面４２ａに入射する。
また、第４入射光学系において、第４半導体レーザー４４ｄの光束Ｌ４は、コリメータレンズ５３ｄを透過して平行光にされ、アパーチャー５４ｄで光量を絞られて、ミラー５５ｄに入射して反射され、シリンドリカルレンズ５６を透過してポリゴンミラー４２の反射面４２ａに入射する。
【００６６】
シリンドリカルレンズ５６は、Ｙ方向に対応する方向に各光束Ｌ１〜Ｌ４を略収束するように集光して線像に結像することによって、ポリゴンミラー４２のミラー面の加工誤差やポリゴンモーター４３の回転軸の傾き等に起因する反射面４２ａの傾き誤差（面倒れ）により生じる感光体ドラム１３Ｙ、１３Ｍ、１３Ｃおよび１３Ｋの走査面のＹ方向のドットピッチのずれを補正する。
【００６７】
ポリゴンミラー４２の反射面４２ａで反射された光束Ｌ１，Ｌ２，Ｌ３およびＬ４は、Ｆθ第１レンズ６３ａを通過することによって主走査および副走査の光線幅が収束しながら各反射ミラー６４ａ1、６４ｂ１、６４ｃ１、６４ｄにそれぞれ入射する。
【００６８】
次に、第１結像光学系において、光束Ｌ１は、ポリゴンミラー４２の反射面４２ａで斜め上方向に反射された後、反射ミラー６４ａ１および６４ａ２で反射され、Ｆθ第２レンズ６３ｂ１を透過して、イエローのトナー像が形成される感光体ドラム１３Ｙに入射する。
また、第２結像光学系において、光束Ｌ２は、ポリゴンミラー４２の反射面４２ａで斜め下方向に反射された後、反射ミラー６４ｂ１および６４ｂ２で反射され、Ｆθ第２レンズ６３ｂ２を透過して、マゼンタのトナー像が形成される感光体ドラム１３Ｍに入射する。
また、第３結像光学系において、光束Ｌ３は、ポリゴンミラー４２の反射面４２ａで斜め下方向に反射された後、反射ミラー６４ｃ１および６４ｃ２で反射され、Ｆθ第２レンズ６３ｂ３を透過して、シアンのトナー像が形成される感光体ドラム１３Ｃに入射する。
また、第４結像光学系において、光束Ｌ４は、ポリゴンミラー４２の反射面４２ａで斜め上方向に反射された後、反射ミラー６４ｄで反射され、Ｆθ第２レンズ６３ｂ４を透過して、ブラックのトナー像が形成される感光体ドラム１３Ｋに入射する。
【００６９】
ポリゴンミラー４２は、六角柱や八角柱等の多角柱形状を有し、側面にミラーを備え、多角柱の中心軸まわりに回転する回転多面鏡である。ポリゴンミラー４２は、ポリゴンモーター４３により等角速度で回転し、各反射面４２ａで光束Ｌ１〜Ｌ４を逐次反射し、各光束Ｌ１〜Ｌ４をＸ方向に繰り返し等角速度で偏向させる。
これにより、感光体ドラム１３Ｙ、１３Ｍ、１３Ｃおよび１３Ｋの走査面をＸ方向に走査して、ドット状の静電潜像を等ピッチで形成する。
【００７０】
Ｆθ第２レンズ６３ｂ１、６３ｂ２、６３ｂ３および６３ｂ４は、ポリゴンミラー４２の反射面４２ａで反射された各光束Ｌ１〜Ｌ４が、それぞれ感光体ドラム１３Ｙ、１３Ｍ、１３Ｃおよび１３Ｋの走査面上で結像するように焦点距離を調整する。
また、Ｆθ第２レンズ６３ｂ１、６３ｂ２、６３ｂ３および６３ｂ４は、Ｘ方向およびＹ方向のいずれについても各光束Ｌ１〜Ｌ４をそれぞれの感光体ドラム１３Ｙ、１３Ｍ、１３Ｃおよび１３Ｋ上の主走査線に沿って等線速度で移動するように変換する。
これにより、各光束Ｌ１〜Ｌ４がそれぞれの感光体ドラム１３Ｙ、１３Ｍ、１３Ｃおよび１３Ｋの表面をＸ方向に繰り返し走査する。
【００７１】
一方、イエロー、マゼンタ、シアンおよびブラックのトナー像が形成される各感光体ドラム１３Ｙ、１３Ｍ、１３Ｃおよび１３Ｋが回転駆動されて、各光束Ｌ１〜Ｌ４により該各感光体ドラム１３Ｙ、１３Ｍ、１３Ｃおよび１３Ｋの２次元表面（周面）が走査され、該各感光体ドラム１３Ｙ、１３Ｍ、１３Ｃおよび１３Ｋの表面にそれぞれの静電画像が形成される。
【００７２】
≪Ｆθ第２レンズ支持部７１および７２の構成≫
次に、図４〜図８に基づき、この発明のＦθ第２レンズ支持部７１および７２の構成について説明する。
図７（Ａ）は、図４に示すＦθ第２レンズ支持部７１の斜視図である。また、図７（Ｂ）は、図４に示すＦθ第２レンズ支持部７１の平面図である。また、図７（Ｃ）は、図４に示すＦθ第２レンズ支持部７１の側面図である。また、図８（Ａ）は、図４に示すＦθ第２レンズ支持部７２の斜視図である。また、図８（Ｂ）は、図４に示すＦθ第２レンズ支持部７２の平面図である。また、図８（Ｃ）は、図４に示すＦθ第２レンズ支持部７２の側面図である。
【００７３】
光走査装置１１の筐体４１が熱膨張したとき、筐体４１はＸ，Ｙ，Ｚ方向に均等に熱膨張するが、各光束Ｌ１〜Ｌ４の光路の変動の影響が最も大きく現れるのは、Ｙ方向の熱膨張である。それゆえ、色ずれ量を低減するには、Ｙ方向における熱膨張の影響を抑制する必要がある。
【００７４】
また、レーザー光源に最も近い位置にあるＦθ第２レンズ６３ｂ１を基準としたとき、Ｙ方向に沿ってＦθ第２レンズ６３ｂ１から遠ざかるほど、筐体４１の熱膨張の伸びが大きく現れる。
それゆえ、Ｆθ第２レンズ６３ｂ４、Ｆθ第２レンズ６３ｂ３、Ｆθ第２レンズ６３ｂ２およびＦθ第２レンズ６３ｂ１の順で熱膨張の伸びが大きく現れるため、Ｆθ第２レンズ６３ｂ１、Ｆθ第２レンズ６３ｂ２、Ｆθ第２レンズ６３ｂ３およびＦθ第２レンズ６３ｂ４にそれぞれ対応するイエロー、マゼンタ、シアンおよびブラックの順に色ずれ量が大きくなる。
【００７５】
そこで、筐体４１の熱膨張の影響を受けやすいＦθ第２レンズ６３ｂ２、６３ｂ３およびＦθ第２レンズ６３ｂ４を筐体４１上に直接設けるのではなく、図４〜図６に示すように、筐体４１よりも熱膨張係数（または線膨張係数）の低い材料からなるＦθ第２レンズ支持部７１および７２の上に設ける。
【００７６】
図４〜図６では、光走査装置１１の筐体４１の両側の側板４１ｂの内側部分に設けられた段差４１ｄおよび４１ｅ上にＦθ第２レンズ支持部７２および７１がそれぞれ設けられる。
【００７７】
Ｆθ第２レンズ支持部７１および７２は、光走査装置１１の筐体４１よりも熱膨張係数（または線膨張係数）が小さい材料からなる。例えば、筐体４１に樹脂材料であるＰＣ／ＡＢＳアロイ（線膨張係数 約7.8〜8×10-5［cm/cm/℃］）を用いた場合、Ｆθ第２レンズ支持部７１および７２には、金属材料であるＰＣ／ＡＢＳアロイよりも線膨張係数が小さいＳＥＣＣ（電気亜鉛めっき鋼板。線膨張係数 約11.7×10-6［cm/cm/℃］）を用いる。
【００７８】
一般に、［×10-6/℃］を単位として、樹脂材料の熱膨張係数は、ＰＣ樹脂70〜80、ＡＢＳ樹脂80〜110、ＰＥＴ樹脂70などであり、合金の熱膨張係数は、アルミニウム23、鉄11.7、銅16.6、合金の熱膨張係数は、ステンレス鋼17〜18、鋳鉄10〜12、超硬合金5〜6などである。
それゆえ、70〜110［10-6/℃］の熱膨張係数の樹脂材料からなる筐体４１を用いた場合、5〜23［10-6/℃］の金属材料または合金材料からなるＦθ第２レンズ支持部７１および７２を用いるのが望ましい。
【００７９】
また、Ｆθ第２レンズ支持部７１および７２の材料として、ＳＥＣＣ以外にＳＵＳ等の線膨張係数の小さい材料を用いてもよい。
【００８０】
図７（Ａ）〜（Ｃ）に示すように、Ｆθ第２レンズ支持部７１は、筐体４１の段差４１ｅ上に設けられたボス６６ａ２、６６ａ３、６６ａ４を逃すための切欠部７１ｂ２、７１ｂ３、７１ｂ４が形成されている。
【００８１】
また、Ｆθ第２レンズ支持部７１の孔部７１１ａ４および７１２ａ４は、それぞれ筐体４１の段差４１ｅ上に設けられた突起４１１ｅ４および４１２ｅ４を逃すための逃し孔である。
孔部７１１ａ４および７１２ａ４は、筐体４１の膨張時に突起４１１ｅ４および４１２ｅ４がＹ方向に相対的に変位しうるようにＹ方向に伸びた形状を有する。
Ｆθ第２レンズ支持部７１の孔部７１１ａ３および７１２ａ３ならびに孔部７１１ａ２および７１２ａ２についても同様である。
【００８２】
また、Ｆθ第２レンズ支持部７１は、副走査線の曲がり（傾き）調整のための調整部材をＦθ第２レンズ支持部７１に固定するためのビス孔７１ｃ２、７１ｃ３および７１ｃ４と、傾き調整のための調整部材をＦθ第２レンズ支持部７１に位置決めするための突起７１ｄ２、７１ｄ３および７１ｄ４とを有する。
【００８３】
また、Ｆθ第２レンズ支持部７１は、傾き調整のための調整部材をＦθ第２レンズ支持部７１に固定するためのビス孔７１ｅ２、７１ｅ３および７１ｅ４と、傾き調整のための調整部材をＦθ第２レンズ支持部７１に位置決めするための突起７１ｆ２、７１ｆ３および７１ｆ４とを有する。
【００８４】
また、Ｆθ第２レンズ支持部７１は、一方の端部７１ａをビス６７ａ等により固定するための孔部７１２ａ１を有し、反対側の端部７１ｂにスプリングビス６９ｂを挿入するための切欠部７１ｂ１を有する。
また、筐体４１の段差４１ｅ上にＦθ第２レンズ支持部７１を位置決めするボス（突起）が設けられ、当該ボス（突起）を孔部７１１ａ１内に挿入することで、Ｆθレンズ支持部７１が位置決めされる。
【００８５】
図８（Ａ）〜（Ｃ）に示すように、Ｆθ第２レンズ支持部７２は、筐体４１の段差４１ｄ上に設けられたボス６６ｂ２、６６ｂ３、６６ｂ４を逃すための切欠部７２ｂ２、７２ｂ３、７２ｂ４が形成されている。
【００８６】
Ｆθ第２レンズ支持部７２の孔部７２１ａ４および７２２ａ４は、それぞれ筐体４１の段差４１ｄ上に設けられた突起４１１ｄ４および４１２ｄ４を逃すための逃し孔である。
また、孔部７２３ａ４は、Ｆθ第２レンズ保持部６５ｂ４の下面に設けられた突起を位置決めするための孔部である。
Ｆθ第２レンズ支持部７２の孔部７２１ａ３、７２２ａ３および７２３ａ３ならびに孔部７２１ａ２、７２２ａ２および７２３ａ２についても同様である。
【００８７】
また、Ｆθ第２レンズ支持部７２は、筐体４１の段差４１ｄ上に設けられた突起７２ｂ５を逃す孔部７２ａ５を有する。Ｆθ第２レンズ支持部７２は、突起７２ｂ５に図示しないスプリングビス６９ｂ５でビス止めすることで、筐体４１に係合する。
孔部７２ａ５は、筐体４１の膨張時に突起７２ｂ５が孔部７２ａ５内をＹ方向に摺動しうるように楕円状に形成される。すなわち、筐体４１は、Ｆθ第２レンズ支持部７２に対して相対的に変位する。
【００８８】
また、Ｆθ第２レンズ支持部７２は、−Ｙ方向の端部７２ａをビス６７ｂ等により固定するための孔部７２２ａ１を有し、反対側の端部７２ｂにスプリングビス６９ｂを挿入するための切欠部７２ｂ１を有する。
また、筐体４１の段差４１ｄ上にＦθ第２レンズ支持部７２を位置決めするボス（突起）が設けられ、当該ボス（突起）を孔部７２１ａ１内に挿入することで、Ｆθ第２レンズ支持部７２が位置決めされる。
【００８９】
また、Ｆθ第２レンズ支持部７２は、３つの段差７２ｃ２、７２ｃ３および７２ｃ４を有する。
これらの段差７２ｃ２、７２ｃ３および７２ｃ４は、Ｆθ第２レンズ保持部６５ｂ１、６５ｂ２、６５ｂ３の位置決め用の絞りと、Ｆθ第２レンズ支持部７２の位置決め孔とのかかりが十分になるようあえて傾斜させているものである。
【００９０】
図９は、図４に示す光走査装置１１の一部拡大図である。
図９に示すように、Ｆθ第２レンズ支持部７２の切欠部７２ｂ１にスプリングビス６９ｂを挿入する。
また、板バネ６３ｃ４は、Ｆθ第２レンズ保持部６５ｂ４上にＦθ第２レンズ６３ｂ４を支持する部材である。
すなわち、ビス６７ｂ４で板バネ６３ｃ４をボス６６ｂ４に固定し、Ｆθ第２レンズ６３ｂ４の端部を板バネ６３ｃ４で−Ｚ方向に押圧することにより、Ｆθ第２レンズ６３ｂ４はＦθ第２レンズ保持部６５ｂ４上に支持される。
【００９１】
また、Ｆθ第２レンズ６３ｂ４の反対側の端部についても、ビス６７ａ４で板バネ６３ｄ４をボス６６ａ４に固定し、Ｆθ第２レンズ６３ａ４の反対側の端部を板バネ６３ｄ４で−Ｚ方向に押圧することにより、Ｆθ第２レンズ６３ａ４の反対側の端部をＦθ第２レンズ保持部６５ａ４上に固定している。
また、Ｆθ第２レンズ６３ｂ１〜６３ｂ３の両端部についても同様である。
【００９２】
＜スプリングビス６９ｂの構成＞
次に、図１０（Ａ）（Ｂ）に基づき、この発明のスプリングビス６９ｂについて説明する。
図１０（Ａ）は、図４に示す光走査装置１１の一部拡大図である。また、図１０（Ｂ）は、Ｙ方向から見た図１０（Ａ）のスプリングビス６９ｂの断面概略図である。
【００９３】
図１０（Ａ）（Ｂ）に示すように、スプリングビス６９ｂは、筐体４１の段差４１ｄ上に形成された突起部６９１ｂと、突起部６９１ｂに螺合されたねじりばね（キックバネ６９２ｂ）と、突起部６９１ｂの天面に設けられ、キックバネ６９２ｂを上から押圧して圧縮するワッシャ６９３ｂと、ワッシャ６９３ｂを突起部６９１ｂの天面に固定するビス６９４ｂとから構成される。
【００９４】
スプリングビス６９ｂは、キックバネ６９２ｂの付勢力により、Ｆθ第２レンズ支持部７２の端部７２ｂを−Ｚ方向に付勢して筐体４１の段差４１ｄ上に押し付けることにより、Ｆθ第２レンズ支持部７２の筐体４１からの浮き上がりを防止する。
【００９５】
上記のような構成により、熱膨張とともに筐体４１に固定されたスプリングビス６９ｂがＹ方向に移動したとしても、スプリングビス６９ｂは、切欠部７２ｂ１内で自由に摺動することが可能となる。筐体４１は、Ｆθ第２レンズ支持部７１、７２に対して相対的に変位する。すなわち、スプリングビス６９ｂが係合部に相当する。
【００９６】
＜スプリングビス６９ｃの構成＞
次に、図１１（Ａ）（Ｂ）に基づき、この発明のスプリングビス６９ｂの変形例としてのフック６９ｃについて説明する。
図１１（Ａ）は、図５に示す光走査装置１１のスプリングビス６９ｂをフック６９ｃに置き換えた一部拡大図である。また、図１１（Ｂ）は、Ｙ方向から見た図１１（Ａ）のフック６９ｃの概略図である。
【００９７】
図１１（Ａ）（Ｂ）に示すように、フック６９ｃは、筐体４１の段差４１ｄ上に設けられた突起部６９１ｃと、突起部６９１ｃの下端付近に設けられ、Ｆθ第２レンズ支持部７２の端部７２ｂを筐体４１から浮き上がらないように、端部７２ｂと若干の隙間を設けた板部６９２ｃとから構成される。
【００９８】
フック６９ｃは、板部６９２ｃにより、Ｆθ第２レンズ支持部７２の筐体４１からの浮き上がりを防止するよう係合している。即ち、フック６９ｃが係合部に相当する。
【００９９】
図１２は、図５に示す光走査装置１１の熱膨張後の概略平面図である。
図１２に示すように、Ｆθ第２レンズ支持部７２に対して筐体４１が熱膨張したとしても、Ｆθ第２レンズ支持部７２は、Ｙ方向に関しては筐体４１とは無関係に熱膨張するため、筐体４１の熱膨張による色ずれの影響を低減することができる。
また、Ｆθ第２レンズ支持部７１についても同様である。
【０１００】
図１２において、−Ｙ方向の筐体４１の端部からレーザー光が照射されるため、筐体４１の熱膨張の基準は、光走査装置１１の本体固定部（締結部）に対応する基準線ＢＬとなる。
なお、基準線ＢＬは、光走査装置１１を画像形成装置１００、具体的には画像形成装置１００の本体フレームに取り付ける基準となる線である。
筐体４１の熱膨張によるずれの量は、基準線ＢＬから遠ざかるほど大きくなるため、−Ｙ方向の端部に設けられたＦθ第２レンズ６３ｂ１は、熱膨張の影響が最も小さいものと考えられる。
【０１０１】
したがって、Ｆθ第２レンズ６３ｂ１以外のＦθ第２レンズ６３ｂ２、６３ｂ３および６３ｂ４をＦθ第２レンズ支持部７１および７２を介して設けることにより、Ｆθ第２レンズ６３ｂ２、６３ｂ３および６３ｂ４の熱変動を効果的に低減することができ、筐体４１の熱膨張による色ずれ量を大幅に縮小することができる。
【０１０２】
＜レンズ調整部材６８ａ２〜６８ａ４の構成＞
次に、図１３〜図１７に基づき、この発明のＦθ第２レンズ６３ｂ２〜６３ｂ４のＹ方向の傾きを調整するレンズ調整部材６８ａ２〜６８ａ４について説明する。
図１３は、図４に示す光走査装置１１からＦθ第２レンズ６３ｂ２、Ｆθ第２レンズ保持部６５ｂ２およびレンズ調整部材６８ａ２を取り除いた部分を中心に示す要部拡大斜視図である。また、図１４は、図１３に示す部分において、Ｆθ第２レンズ保持部６５ｂ２を調整するレンズ調整機構６８ａ２の一部の機構を設けたときの説明図である。また、図１５は、図１３に示す部分において、レンズ調整部６８ａ２を設けたときの説明図である。また、図１６は、図１３に示す部分において、Ｆθ第２レンズ６３ｂ２を有するＦθ第２レンズ保持部６５ｂ２およびレンズ調整部６８ａ２を設けたときの説明図である。また、図１７（Ａ）は、カバー６８０ａ２を上側から見た斜視図である。また、図１７（Ｂ）は、カバー６８０ａ２を下側から見た斜視図である。
以下、レンズ調整部材６８ａ２を例として説明するが、その他のレンズ調整部材６８ａ３および６８ａ４についても同様である。
【０１０３】
図１３に示すように、Ｆθ第２レンズ支持部７１は、筐体４１の段差４１ｅ上に設けられたボス６６ａ２、突起４１１ｅ２および４１２ｅ２をそれぞれ逃すための切欠部７１ｂ２、孔部７１１ａ２および７１２ａ２が形成されている。
突起４１１ｅ２および４１２ｅ２は円柱形状を有しており、Ｆθ第２レンズ支持部７１の孔部７１１ａ２および７１２ａ２にそれぞれ挿入されたとき、それらの上面はＦθ第２レンズ支持部７１の上面よりも高い位置にある。
【０１０４】
図１４に示すように、筐体４１の段差４１ｅ上に設けられた円柱形状の突起４１１ｅ２および４１２ｅ２の上面にＦθ第２レンズ６３ｂ２を保持したＦθ第２レンズ保持部６５ｂ２の下面が載せられる。
Ｆθ第２レンズ保持部６５ｂ２の下面は、Ｆθ第２レンズ支持部７１の上面よりも高い位置にある突起４１１ｅ２および４１２ｅ２の上面に接することで、Ｆθ第２レンズ保持部６５ｂ２、すなわちＦθ第２レンズ６３ｂ２の高さが規定される。
それゆえ、Ｆθ第２レンズ保持部６５ｂ２とＦθ第２レンズ支持部７１とは接していない。
【０１０５】
しかしながら、Ｆθ第２レンズ支持部７１は、レンズ調整部材６８ａ２、６８ａ３および６８ａ４を介してＦθ第２レンズ保持部６５ｂ２、６５ｂ３および６５ｂ４、すなわちＦθ第２レンズ６３ｂ２、６３ｂ３および６３ｂ４を支持している。
【０１０６】
また、図１６のバネ６８３ａ２のような付勢部材（スプリング）により、Ｆθ第２レンズ保持部６５ｂ２を常に押圧させていることにより、Ｆθ第２レンズ保持部６５ｂ２、すなわちＦθ第２レンズ６３ｂ２を支持している。
Ｆθ第２レンズ保持部６５ｂ３および６５ｂ４、すなわちＦθ第２レンズ６３ｂ３および６３ｂ４についても同様である。
【０１０７】
なお、Ｆθ第２レンズ支持部７１は、Ｆθ第２レンズ保持部６５ｂ２、６５ｂ３および６５ｂ４に直接接触することで、Ｆθ第２レンズ６３ｂ２、６３ｂ３および６３ｂ４を支持してもよい。
【０１０８】
また、板バネ６３ｄ２でＦθ第２レンズ保持部６５ｂ２上のＦθ第２レンズ６３ｂ２の端部を−Ｚ方向に押圧する。
【０１０９】
また、図１４に示すように、Ｆθ第２レンズ保持部６５ｂ２の側部にカム６８２ａ２を設ける。
図１４および図１５に示すように、軸部６８１ａ２およびカム６８２ａ２は、カバー６８０ａ２内に設けられ、軸部６８１ａ２の先端がカム６８２ａ２のＸ方向の一端と当接している。
軸部６８１ａ２は手動で軸回りに回転可能な端部を有し、当該端部を時計回りに回転させたとき、軸部６８１ａ２が−Ｘ方向に進むように、軸部６８１ａ２とカバー６８０ａ２の内部との間に雄ネジおよび雌ネジが形成されている。
軸部６８１ａ２の先端により−Ｘ方向に押圧されたカム６８２ａ２は、Ｚ方向の軸回りに時計回りに回転し、Ｆθ第２レンズ保持部６５ｂ２の側部をＹ方向に押圧する。
軸部６８１ａ２は、筐体４１の側板４１ｂに形成された孔部４１ｂ２を介して挿入され、筐体４１の外側からドライバで回転させることができる。
軸部６８１ａ２およびカム６８２ａ２は、カバー６８０ａ２内に設けられ、レンズ調整部材６８ａ２が構成される。
レンズ調整部材６８ａ２は、Ｆθ第２レンズ支持部７１にビス７３ｃ２により固定されている。
【０１１０】
図１６に示すように、レンズ調整部材６８ａ２とＦθ第２レンズ保持部６５ｂ２の側部との間には、バネ６８３ａ２が設けられている。
図１６において、Ｆθ第２レンズ保持部６５ｂ２は、バネ６８３ａ２によって常に−Ｙ方向に付勢され、図１４のカム６８２ａ２に常に当接した状態となるため、Ｆθ第２レンズ保持部６５ｂ２の±Ｙ方向へのがたつきが防止される。それゆえ、軸部６８１ａ２によって調整された位置を確保できる。
【０１１１】
図１７（Ａ）（Ｂ）に示されるように、カバー６８０ａ２は、軸部６８１ａ２を挿入するための孔部６８０１ａ２と、筐体４１の段差４１ｄ上に設けられた突起７１ｄ２および７１ｅ２にそれぞれ嵌め込むための切欠部６８０２ａ２および孔部６８０３ａ２と、ビス７３ｃ２を挿入するための孔部６８０４ａ２とを有する。
【０１１２】
図１８は、図４に示す光走査装置１１からＦθ第２レンズ支持部７２を取り除いた部分を中心に示す要部拡大斜視図である。また、図１９は、図１８に対応するＦθ第２レンズ支持部７２の部分を示す要部拡大斜視図である。また、図２０は、図１８に示す部分において、図１９のＦθ第２レンズ支持部７２の部分を設けたときの説明図である。
【０１１３】
図８で説明したように、Ｆθ第２レンズ支持部７２の孔部７２１ａ２および７２２ａ２は、それぞれ筐体４１の段差４１ｄ上に設けられた突起４１１ｄ２および４１２ｄ２を逃すための逃し孔である。
突起４１１ｄ２および４１２ｄ２は円柱形状を有しており、Ｆθ第２レンズ支持部７２の上面よりも高い位置に上面を有する。また、Ｆθ第２レンズ支持部７２の傾斜に合わせて、突起４１１ｄ２の上面は、突起４１２ｄ２の上面よりも高い位置にある。
【０１１４】
図２１（Ａ）は、図４に示すＦθ第２レンズ保持部６５ｂ２を上側から見た要部拡大斜視図である。図２１（Ｂ）は、図４に示すＦθ第２レンズ保持部６５ｂ２を下側から見た要部拡大斜視図である。
図２１（Ａ）（Ｂ）に示すように、凸部６５３ｂ３が設けられたＦθ第２レンズ保持部６５ｂ２の下面は、Ｆθ第２レンズ支持部７２の上面よりも高い位置にある突起４１１ｄ２および４１２ｄ２の上面に接することで、Ｆθ第２レンズ保持部６５ｂ２、すなわちＦθ第２レンズ６３ｂ２の高さが規定される。
それゆえ、Ｆθ第２レンズ保持部６５ｂ２とＦθ第２レンズ支持部７２とは接していない。
【０１１５】
しかしながら、Ｆθ第２レンズ保持部６５ｂ２の−Ｚ方向の面には、凸部６５３ｂ２が設けられており、Ｆθ第２レンズ支持部７２の孔部７２３ａ２は、凸部７２３ｂ２を位置決めするための孔部である。
それゆえ、Ｆθ第２レンズ支持部７２は、Ｆθ第２レンズ保持部６５ｂ２、すなわちＦθ第２レンズ６３ｂ２を支持している。
【０１１６】
Ｆθ第２レンズ支持部７２の孔部７２１ａ３、７２２ａ３および７２３ａ３ならびに孔部７２１ａ２、７２２ａ２および７２３ａ２についても同様である。
【０１１７】
≪従来技術との比較例≫
次に、図２２に基づき、従来技術との比較例について説明する。
図２２（Ａ）および（Ｂ）は、それぞれ従来技術の光走査装置１１およびこの発明の実施形態１に係る光走査装置１１のＹ方向におけるシアン、マゼンタおよびイエローの各色の色ずれ量を示す実験結果のグラフである。
【０１１８】
これらのグラフは、横軸左側からシアン（Ｃｙ）、マゼンタ（Ｍｇ）およびイエロー（Ｙｅ）の各色について、Ｙ方向における光走査装置１１の後部（Rear）、中央部（Center）および前部（Front）の色ずれ量（μm／deg.）を示す。
なお、これらの色ずれ量は、ブラックの色ずれ量からの相対的な色ずれ量の差を示したものである。
【０１１９】
これらのグラフから明らかなように、この発明の実施形態１の光走査装置１１におけるＹ方向の色ずれ量は、従来技術の光走査装置１１におけるＹ方向の色ずれ量よりも約８０％も減少した。
【０１２０】
このように、Ｆθ第２レンズ支持部７１および７２を用いることで、色ずれ量が大幅に減少するため、色ずれの電子補正の精度を高めることが容易になる。
それゆえ、筐体４１のサイズが大きい場合や、結露防止用ヒーターを設けた場合においても、色ずれ補正の精度が高い光走査装置１１が実現できる。
【０１２１】
（実施形態２）
次に、図２３に基づき、この発明の実施形態２に係る光走査装置１１について説明する。
図２３は、この発明の実施形態２に係る光走査装置１１の熱膨張後の概略平面図である。
【０１２２】
実施形態２に係る光走査装置１１が実施形態１に係る光走査装置１１と異なる点は、Ｆθ第２レンズ６３ｂ２、６３ｂ３および６３ｂ４だけでなく、Ｆθ第２レンズ６３ｂ１もＦθ第２レンズ支持部７１および７２上に設けられる点である。
【０１２３】
このようにすれば、Ｆθ第２レンズ６３ｂ１、６３ｂ２、６３ｂ３および６３ｂ４がすべてＦθ第２レンズ支持部７１および７２上に設けられるため、位置決めが容易となり、また、熱膨張による色ずれ量を予測しやすくなる。
【０１２４】
（実施形態３）
次に、図２４に基づき、この発明の実施形態３に係る光走査装置１１について説明する。
図２４は、この発明の実施形態３に係る光走査装置１１の熱膨張後の概略平面図である。
【０１２５】
実施形態３に係る光走査装置１１が実施形態１および実施形態２に係る光走査装置１１と異なる点は、Ｆθ第２レンズ６３ｂ１、６３ｂ２および６３ｂ３がＦθ第２レンズ支持部７１および７２上に設けられる点である。
【０１２６】
ブラックを用いないカラー画像の印刷時における色ずれの問題は、画像を構成する三原色であるイエロー、マゼンタ、シアンの各色の色ずれに起因するものであるため、これら各色に対応するＦθ第２レンズ６３ｂ１、６３ｂ２および６３ｂ３をＦθ第２レンズ支持部７１および７２に設けることで、筐体４１の熱膨張に起因する色ずれを低減することができる。
【０１２７】
（実施形態４）
また、基準線ＢＬに一番近く、筐体４１の熱膨張の影響が最も小さいＦθ第２レンズ６３ｂ１を除外して、２つのＦθ第２レンズ６３ｂ２および６３ｂ３のみをＦθ第２レンズ支持部７１および７２に設けるようにしてもよい。
【０１２８】
このようにすれば、熱膨張に起因する色ずれの影響を低減しつつ、実施形態１および２に係る光走査装置１１よりもＦθ第２レンズ６３ｂ２および６３ｂ３長さを短くできるため、コストをさらに抑えることができる。
【０１２９】
（実施形態５）
次に、図２５に基づき、この発明の実施形態５に係る光走査装置１１について説明する。
図２５は、この発明の実施形態５に係る光走査装置１１の熱膨張後の概略平面図である。
【０１３０】
図２５に示すように、実施形態５に係る光走査装置１１が実施形態１に係る光走査装置１１と異なる点は、Ｆθ第２レンズ支持部７１および７２が−Ｙ方向の端部７１ａおよび７２ａにおいて、つながっている点である。
【０１３１】
このようにすれば、筐体４１のＹ方向における熱膨張の伸びの程度が、Ｆθ第２レンズ支持部７１および７２の両側で異なる場合であっても、その影響を受けにくい光走査装置１１を実現することができる。
【０１３２】
（実施形態６）
次に、図２６に基づき、この発明の実施形態６に係る光走査装置１１のＦθ第２レンズ支持部７１の摺動（筐体４１がＦθ第２レンズ支持部７１に対して相対的に変位）機構の一例について説明する。
図２６（Ａ）は、この発明の実施形態１に係る光走査装置１１のＦθ第２レンズ支持部７１の摺動（筐体４１がＦθ第２レンズ支持部７１に対して相対的に変位）機構の一例を示す説明図である。また、図２６（Ｂ）は、この発明の実施形態６に係る光走査装置１１のＦθ第２レンズ支持部７１の摺動（筐体４１がＦθ第２レンズ支持部７１に対して相対的に変位）機構の一例を示す説明図である。
【０１３３】
図２６（Ａ）に示すように、Ｆθ第２レンズ支持部７１の端部７１ｂにＹ方向に伸びる切欠部７１ｂ１を設け、当該切欠部７１ｂ１を通してスプリングビス６９ａを筐体４１内に挿入することによって、Ｙ方向に伸びた切欠部７１ｂ１内に筐体４１の熱膨張時におけるＦθ第２レンズ支持部７１のＹ方向の摺動（筐体４１がＦθ第２レンズ支持部７１に対して相対的に変位）が可能となる。
【０１３４】
また、図２６（Ｂ）に示すように、Ｆθ第２レンズ支持部７１の一部にＹ方向に伸びた楕円状の長孔部７１ｃ１を設け、当該長孔部７１ｃ１を通してスプリングビス６９ａを筐体４１内に挿入することによって、Ｙ方向に伸びた長孔部内に筐体４１の熱膨張時におけるＦθ第２レンズ支持部７１のＹ方向の摺動（筐体４１がＦθ第２レンズ支持部７１に対して相対的に変位）が可能となる。
【０１３５】
このようにすれば、低コストかつ簡単な構造により、筐体４１の熱膨張時のＦθ第２レンズ支持部７１のＹ方向へのずれを防止できるため、筐体４１の熱膨張に起因する色ずれ量を低減する光走査装置１１を実現できる。
【０１３６】
（実施形態７）
次に、図２７〜図３１に基づき、この発明の実施形態７に係る光走査装置１１について説明する。
図２７は、この発明の実施形態７に係る光走査装置１１の上蓋を外した筐体４１内部の斜視図である。また、図２８は、図２７に示す光走査装置１１の平面図である。また、図２９は、図２７に示すＦθ第２レンズ支持部７１の斜視図である。また、図３０は、図２７に示すＦθ第２レンズ支持部７２の斜視図である。
【０１３７】
実施形態７に係る光走査装置１１は、４つのＦθ第２レンズ保持部６５ｂ１〜６５ｂ４が全て、Ｆθ第２レンズ支持部７１および７２上に設けられる点で、実施形態１に係る光走査装置１１と相違する。
【０１３８】
また、図２７〜図３１に示すように、Ｆθ第２レンズ支持部７１は、Ｙ方向の端部および中央付近に３つのスプリングビス６９ａ２，６９ａ３および６９ａ４が設けられている点で、実施形態１に係る光走査装置１１と相違する。Ｆθ第２レンズ支持部７２についても同様である。
【０１３９】
このようにＹ方向の端部以外にもスプリングビス６９ａ２および６９ａ３を設けることにより、Ｆθ第２レンズ支持部７１の筐体４１の段差４１ｅからの浮き上がりを防止することができる。
【０１４０】
また、Ｆθ第２レンズ保持部６５ｂ１の下面は、Ｆθ第２レンズ支持部７１の上面よりも高い位置にある図示しない突起４１１ｅ１および４１２ｅ１の上面に接することで、Ｆθ第２レンズ保持部６５ｂ１、すなわちＦθ第２レンズ６３ｂ１の高さが規定される。
Ｆθ第２レンズ保持部６５ｂ２〜６５ｂ４についても同様である。
【０１４１】
しかしながら、Ｆθ第２レンズ支持部７１は、レンズ調整部材６８ａ１〜６８ａ４を介してＦθ第２レンズ保持部６５ｂ１〜６５ｂ４、すなわちＦθ第２レンズ６３ｂ１〜６３ｂ４をそれぞれ支持している。
【０１４２】
なお、Ｆθ第２レンズ支持部７１は、Ｆθ第２レンズ保持部６５ｂ１〜６５ｂ４に直接接触することで、Ｆθ第２レンズ６３ｂ１〜６３ｂ４を支持してもよい。
【０１４３】
図２９に示すように、Ｆθ第２レンズ保持部６５ｂ１〜６５ｂ４のＹ方向の傾きをそれぞれ調整する４つのレンズ調整部材６８ａ１〜６８ａ４は、Ｆθ第２レンズ支持部７１上に設けられる。
【０１４４】
また、図３０に示すように、Ｆθ第２レンズ支持部７２は、−Ｙ方向の端部７２ａにビスを固定するための孔部７２１ａ０を有する。
また、筐体４１の段差４１ｄ上にＦθ第２レンズ支持部を位置決めするボス（突起）が設けられ、当該ボス（突起）を孔部７２２ａ０内に挿入することで、Ｆθ第２レンズ支持部７２が位置決めされる。
【０１４５】
Ｆθ第２レンズ支持部７２の孔部７２１ａ１および７２２ａ１は、それぞれ筐体４１の段差４１ｄ上に設けられた突起４１１ｄ１および４１２ｄ１を逃すための逃し孔である。
また、孔部７２３ａ１は、Ｆθ第２レンズ保持部６５ｂ１の下面に設けられた突起を位置決めするための孔部である。この位置決めにより、Ｆθ第２レンズ保持部６５ｂ１がＦθ第２レンズ支持部７２に支持されることになる。
Ｆθ第２レンズ支持部７２の孔部７２１ａ２〜７２１ａ４および７２２ａ２〜７２２ａ４ならびに孔部７２３ａ２〜７２３ａ４についても同様である。
【０１４６】
また、Ｆθ第２レンズ支持部７２は、筐体４１の段差４１ｄ上に設けられた図１０（Ｂ）の突起部６９１ｂを逃す孔部７２ａ２を有する。Ｆθ第２レンズ支持部７２は、突起部６９１ｂに図１０（Ａ）、図１０（Ｂ）のスプリングビス６９ｂでビス止めすることで、筐体４１に係合する。
孔部７２ａ２は、筐体４１の膨張時に突起７２ｂ２が孔部７２ａ２内をＹ方向に摺動（筐体４１がＦθ第２レンズ支持部７２に対して相対的に変位）しうるように楕円状に形成される。
その他の孔部７２ａ３および７２ａ４についても同様である。
【０１４７】
なお、Ｆθ第２レンズ支持部７１および７２のその他の構造は、実施形態１に係るＦθ第２レンズ支持部７１および７２と同様であるため、説明を省略する。
【０１４８】
図３１（Ａ）は、図２７に示すレンズ調整部材６８ａ１の一部拡大図である。また、図３１（Ｂ）は、図２７に示すレンズ調整部材６８ａ１の一部拡大図である。
【０１４９】
図３１（Ａ）（Ｂ）に示すように、手動で第１軸部６８１ａ１を−Ｘ方向に時計回りに回転させたとき、第１軸部６８１ａ１と連動した第１ギア６８４ａ１と嵌合した第２ギア６８５ａ１は−Ｙ方向に時計回りに回転する。
このとき、第２軸部６８６ａ１は−Ｙ方向に進み、連結部材６８７ａ１を介して、Ｆθ第２レンズ保持部６５ｂ１の側部を押圧することにより、Ｆθ第２レンズ保持部６５ｂ１をＹ方向に傾斜させる。
【０１５０】
なお、レンズ調整部材６８ａ３のレンズ調整方法は、実施形態１と同様であるため、省略する。
【０１５１】
連結部材６８７ａ１は、調整された位置にあり、Ｆθ第２レンズ保持部６５ｂ１の側部に常に当接している。すなわち、図示しない、例えば図１６のバネ６８３ａ２のような付勢部材（スプリング）により、Ｆθ第２レンズ保持部６５ｂ１を常に連結部材６８７ａ１に押圧させている。
しかしながら、レンズ調整部材６８ａ１を筐体４１に直接設けると、筐体４１の熱膨張時に連結部材６８７ａ１を含むレンズ調整部材６８ａ１全体が動き、調整がずれてしまうことがある。
【０１５２】
実施形態７では、このような問題を回避すべく、レンズ調整部材６８ａ１〜６８ａ４は、Ｆθ第２レンズ支持部７１上に設けられている。具体的には、図３１（Ａ）（Ｂ）のように、軸部保持プレート６８９ａ１をビス６７２ａ１でＦθ第２レンズ支持部７１に固定している。
レンズ調整部材６８ａ１〜６８ａ４によるＦθ第２レンズ６３ｂ１〜６３ｂ４の調整後、光走査装置１１の温度が上昇しても、レンズ調整部材６８ａ１〜６８ａ４の位置は変わらないため、当然Ｆθ第２レンズ６３ｂ１〜６３ｂ４の位置も変わらない。
したがって、筐体４１に直接設けた場合に比べて、熱膨張の影響を受けにくくなる。
【０１５３】
（実施形態８）
次に、図３２〜図３８に基づき、この発明の実施形態７に係る光走査装置１１について説明する。
図３２は、この発明の実施形態８に係る光走査装置１１の上蓋を外した筐体４１内部の斜視図である。また、図３３は、図３２に示す光走査装置１１の平面図である。また、図３４は、図３３に示す光走査装置１１のＣ−Ｃ矢視断面図である。また、図３５は、図３２に示す光走査装置１１を下側から見た斜視図である。
【０１５４】
実施形態８に係る光走査装置１１は、Ｆθ第２レンズ保持部６５ｂ１〜６５ｂ４のＹ方向の傾きを調整するレンズ調整部材６８ａ１〜６８ａ４がＦθ第２レンズ支持部７１上に設けられる。
【０１５５】
図３６は、図３２に示すＦθ第２レンズ支持部７１の斜視図である。また、図３７は、図３２に示すＦθ第２レンズ支持部７１の斜視図である。また、図３８（Ａ）は、図３３に示すレンズ調整部材６８ａ２の一部拡大図である。また、図３８（Ｂ）は、図３６に示すレンズ調整部材６８ａ２の一部拡大図である。
【０１５６】
また、Ｆθ第２レンズ保持部６５ｂ１の下面は、Ｆθ第２レンズ支持部７１の上面よりも高い位置にある図示しない突起４１１ｅ１および４１２ｅ１の上面に接することで、Ｆθ第２レンズ保持部６５ｂ１、すなわちＦθ第２レンズ６３ｂ１の高さが規定される。
Ｆθ第２レンズ保持部６５ｂ２〜６５ｂ４についても同様である。
【０１５７】
しかしながら、Ｆθ第２レンズ支持部７１は、レンズ調整部材６８ａ１〜６８ａ４を介してＦθ第２レンズ保持部６５ｂ１〜６５ｂ４、すなわちＦθ第２レンズ６３ｂ１〜６３ｂ４をそれぞれ支持している。
【０１５８】
なお、Ｆθ第２レンズ支持部７１は、Ｆθ第２レンズ保持部６５ｂ１〜６５ｂ４に直接接触することで、Ｆθ第２レンズ６３ｂ１〜６３ｂ４を支持してもよい。
【０１５９】
図３７において、Ｆθ第２レンズ支持部７２の孔部７２１ａ１および７２２ａ１は、それぞれ筐体４１の段差４１ｄ上に設けられた突起４１１ｄ１および４１２ｄ１を逃すための逃し孔である。
また、孔部７２３ａ１は、Ｆθ第２レンズ保持部６５ｂ１の下面に設けられた図示しない突起を位置決めするための孔部である。この位置決めにより、Ｆθ第２レンズ保持部６５ｂ１がＦθ第２レンズ支持部７２に支持されることになる。
Ｆθ第２レンズ支持部７２の孔部７２１ａ２〜７２１ａ４および７２２ａ２〜７２２ａ４ならびに孔部７２３ａ２〜７２３ａ４についても同様である。
【０１６０】
また、Ｆθ第２レンズ保持部６５ｂ２の下面は、Ｆθ第２レンズ支持部７２の上面よりも高い位置にある図示しない突起４１１ｄ２および４１２ｄ２の上面に接することで、Ｆθ第２レンズ保持部６５ｂ２、すなわちＦθ第２レンズ６３ｂ２の高さが規定される。
【０１６１】
なお、Ｆθ第２レンズ支持部７１および７２のその他の構造は、実施形態７に係るＦθ第２レンズ支持部７１および７２と同様であるため、説明を省略する。
【０１６２】
図３４〜図３７および図３８（Ｂ）に示すように、レンズ調整部材６８ａ１〜６８ａ４は、筐体４１の外部に駆動部（モータ）６８８ａ１〜６８８ａ４を有している点で、手動による実施形態７に係る光走査装置１１と異なる。
【０１６３】
図３８（Ｂ）に示すように、駆動部６８８ａ２で第１ギア６８４ａ２をＺ方向時計回りに回転したとき、第１ギア６８４ａ２と嵌合した第２ギア６８５ａ２は−Ｙ方向に時計回りに回転する。
このとき、第２軸部６８６ａ２は−Ｙ方向に進んでＦθ第２レンズ保持部６５ｂ２の側部を押圧することにより、Ｆθ第２レンズ保持部６５ｂ２をＹ方向に傾斜させる。
【０１６４】
図３８（Ｂ）に示すように、レンズ調整部材６８ａ２は、駆動部６８８ａ２も含めて、Ｆθ第２レンズ支持部７１に設けられ、筐体４１には設けられていない。
レンズ調整部材６８ａ１、６８ａ３および６８ａ４についても同様である。
【０１６５】
このように、レンズ調整部材６８ａ１〜６８ａ４は、Ｆθ第２レンズ支持部７１上に設けられる。具体的には、図３８（Ａ）（Ｂ）のように、駆動部（モータ）６８８ａ２および軸部保持プレート６８９ａ２をＦθ第２レンズ支持部７２にビス６７１ａ２で固定している。
【０１６６】
連結プレート６８９ａ２は、調整された位置にあり、連結プレート６８９ａ２の第２軸部６８６ａ２はＦθ第２レンズ保持部６５ｂ２の側部に常に当接している。すなわち、図示しない、例えば図１６のバネ６８３ａ２のような付勢部材（スプリング）により、Ｆθ第２レンズ保持部６５ｂ２を常に連結プレート６８９ａ２の第２軸部６８６ａ２に押圧させている。
【０１６７】
レンズ調整部材６８ａ１〜６８ａ４によるＦθ第２レンズ６３ｂ１〜６３ｂ４の調整後、光走査装置１１の温度が上昇しても、レンズ調整部材６８ａ１〜６８ａ４の位置は変わらないため、当然Ｆθ第２レンズ６３ｂ１〜６３ｂ４の位置も変わらない。
さらに、駆動部（モータ）の第１ギア６８４ａ１および６８４ａ２間の距離も変わらないため、第１ギア６８４ａ１および６８４ａ２間のバックラッシュは大きくならない。
したがって、筐体４１に直接設けた場合に比べて、熱膨張の影響を受けにくくなる。
【０１６８】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１６９】
１１，１１ｃ：光走査装置、    １３，１３Ｙ，１３Ｍ，１３Ｃ，１３Ｋ：感光体ドラム、    ４１：筐体、    ４１ｂ，４１ｃ：側板、    ４１ｄ，４１ｅ：段差、    ４２：ポリゴンミラー、    ４２ａ：反射面、    ４３：ポリゴンモーター、    ４４ａ：第１半導体レーザー、    ４４ｂ：第２半導体レーザー、    ４４ｃ：第３半導体レーザー、    ４５ｄ：第４半導体レーザー、    ４１１ｄ１，４１２ｄ１，４１１ｄ２，４１２ｄ２，４１１ｄ３，４１２ｄ３，４１１ｄ４，４１２ｄ４，４１１ｅ１，４１２ｅ１，４１１ｅ２，４１２ｅ２，４１１ｅ３，４１２ｅ３，４１１ｅ４，４１２ｅ４：突起、    ４１３ｄ１，４１３ｄ２，４１３ｄ３，４１３ｄ４：凹部、    ５３ａ，５３ｂ，５３ｃ，５３ｄ：コリメータレンズ、    ５４ａ，５４ｂ，５４ｃ，５４ｄ：アパーチャー、    ５５ａ，５５ｂ，５５ｃ，５５ｄ：ミラー、    ５６：シリンドリカルレンズ、    ６３ａ：Ｆθ第１レンズ、    ６３ｂ１〜６３ｂ４：Ｆθ第２レンズ、    ６３ｃ１〜６３ｃ４，６３ｄ１〜６３ｄ４：板バネ、６４ａ１，６４ａ２，６４ｂ１，６４ｂ２，６４ｃ１，６４ｃ２，６４ｄ：反射ミラー、    ６５ｂ１，６５ｂ２，６５ｂ３，６５ｂ４：Ｆθ第２レンズ保持部、    ６７ａ，６７ａ４，６７ｂ，６７ｂ４：ビス、    ６６ａ２〜６６ａ４，６６ｂ２〜６６ｂ４：ボス、    ６８ａ１，６８ａ２，６８ａ３，６８ａ４：レンズ調整部材、    ６９ａ，６９ａ２〜６９ａ４，６９ｂ，６９ｂ２〜６９ｂ５：スプリングビス、    ６９ｃ：フック、６５１ｂ１，６５２ｂ１，６５１ｂ２，６５２ｂ２，６５１ｂ３，６５２ｂ３，６５１ｂ４，６５２ｂ４：凹部、    ６５３ｂ１，６５３ｂ２，６５３ｂ３，６５３ｂ４：凸部、    ６６１ａ１〜６６１ａ４，６６１ｂ１〜６６１ｂ４：孔部、    ６７１ａ１，６７１ａ２，６７２ａ２，６７３ａ２：ビス、    ６８０ａ１，６８０ａ２，６８０ａ４：カバー、    ６８１ａ１，６８１ａ２，６８１ａ４：軸部、    ６８２ａ１，６８２ａ２，６８２ａ４：カム、    ６８３ａ１，６８３ａ２，６８３ａ４：バネ、    ６８４ａ１〜６８４ａ４：第１ギア、    ６８５ａ１〜６８５ａ４：第２ギア、    ６８６ａ１〜６８６ａ４：第２軸部、    ６８７ａ１，６８７ａ２，６８７ａ４：連結部材、    ６８８ａ１〜６８８ａ４：駆動部、    ６８９ａ１，６８９ａ２：軸部保持プレート、    ６９１ｂ，６９１ｃ：突起部、    ６９２ｂ：キックバネ、    ６９２ｃ：板部、    ６９３ｂ：ワッシャ、    ６９４ｂ：ビス、    ６８０１ａ１，６８０３ａ１，６８０４ａ１，６８０１ａ２，６８０３ａ２，６８０４ａ２，６８０１ａ３，６８０３ａ３，６８０４ａ３，６８０１ａ４，６８０３ａ４，６８０４ａ４：孔部、    ６８０２ａ，６８０２ａ２，６８０２ａ３，６８０２ａ４：切欠部、    ７１，７２：Ｆθ第２レンズ支持部、    ７１ａ，７１ｂ，７２ａ，７２ｂ：端部、    ７１ａ１〜７１ａ４，７２ａ１〜７２ａ５：孔部、    ７１ｂ１〜７１ｂ４，７２ｂ１〜７２ｂ４：切欠部、    ７１ｃ１：長孔部、    ７１ｃ２〜７１ｃ４，７１ｅ２〜７１ｅ４：ビス孔、    ７１ｄ２〜７１ｄ４，７１ｆ２〜７１ｆ４，７２ｂ５，７２ｃ２〜７２ｃ４：突起、    ７１１ａ１，７１２ａ１，７１１ａ２，７１２ａ２，７１１ａ３，７１２ａ３，７１１ａ���，７１２ａ４：孔部、    ７２２ａ０，７２１ａ０，７２１ａ１，７２２ａ１，７２３ａ１，７２１ａ２，７２２ａ２，７２３ａ２，７２１ａ３，７２２ａ３，７２３ａ３，７２１ａ４，７２２ａ４，７２３ａ４：孔部、    １００：画像形成装置、    ＢＬ：基準線、    Ｃ：矢印、    Ｌ１，Ｌ２，Ｌ３，Ｌ４：光束、    Ｐａ，Ｐｂ，Ｐｃ，Ｐｄ：画像形成ステーション、    Ｒ１：シート搬送経路、    ＴＥ：熱膨張による伸び、    Ｘ：主走査方向、    Ｙ：副走査方向、    Ｚ：高さ方向
【図１（Ａ）】
2017203976.tif 000003
【図１（Ｂ）】
2017203976.tif 000004
【図２】
2017203976.tif 000005
【図３】
2017203976.tif 000006
【図４】
2017203976.tif 000007
【図５】
2017203976.tif 000008
【図６（Ａ）】
2017203976.tif 000009
【図６（Ｂ）】
2017203976.tif 000010
【図７（Ａ）】
2017203976.tif 000011
【図７（Ｂ）】
2017203976.tif 000012
【図７（Ｃ）】
2017203976.tif 000013
【図８（Ａ）】
2017203976.tif 000014
【図８（Ｂ）】
2017203976.tif 000015
【図８（Ｃ）】
2017203976.tif 000016
【図９】
2017203976.tif 000017
【図１０（Ａ）】
2017203976.tif 000018
【図１０（Ｂ）】
2017203976.tif 000019
【図１１（Ａ）】
2017203976.tif 000020
【図１１（Ｂ）】
2017203976.tif 000021
【図１２】
2017203976.tif 000022
【図１３】
2017203976.tif 000023
【図１４】
2017203976.tif 000024
【図１５】
2017203976.tif 000025
【図１６】
2017203976.tif 000026
【図１７（Ａ）】
2017203976.tif 000027
【図１７（Ｂ）】
2017203976.tif 000028
【図１８】
2017203976.tif 000029
【図１９】
2017203976.tif 000030
【図２０】
2017203976.tif 000031
【図２１（Ａ）】
2017203976.tif 000032
【図２１（Ｂ）】
2017203976.tif 000033
【図２２（Ａ）】
2017203976.tif 000034
【図２２（Ｂ）】
2017203976.tif 000035
【図２３】
2017203976.tif 000036
【図２４】
2017203976.tif 000037
【図２５】
2017203976.tif 000038
【図２６（Ａ）】
2017203976.tif 000039
【図２６（Ｂ）】
2017203976.tif 000040
【図２７】
2017203976.tif 000041
【図２８】
2017203976.tif 000042
【図２９】
2017203976.tif 000043
【図３０】
2017203976.tif 000044
【図３１（Ａ）】
2017203976.tif 000045
【図３１（Ｂ）】
2017203976.tif 000046
【図３２】
2017203976.tif 000047
【図３３】
2017203976.tif 000048
【図３４】
2017203976.tif 000049
【図３５】
2017203976.tif 000050
【図３６】
2017203976.tif 000051
【図３７】
2017203976.tif 000052
【図３８（Ａ）】
2017203976.tif 000053
【図３８（Ｂ）】
2017203976.tif 000054